(57)【特許請求の範囲】
【請求項１】
ユーザ機器（ＵＥ）によるワイヤレス通信のための方法であって、
移動機発信（ＭＯ）コールの送信を禁止するか、あるいは許可するかを決定するためのサービス固有アクセス規制（ＳＳＡＣ）機構に関するＳＳＡＣパラメータの利用可能性を決定することと、ここで、ＳＳＡＣパラメータの利用可能性を決定することは、システム情報ブロックが音声もしくは映像のうちの少なくとも１つについて禁止を示している場合、または前記ＵＥにおいてメモリに音声もしくは映像のうちの少なくとも１つについて禁止が設定されている場合、前記ＳＳＡＣパラメータが利用可能であると決定することを含む、
前記ＵＥにおいて前記ＳＳＡＣパラメータが利用可能でない場合に、アクセス・クラス・バーリング（ＡＣＢ）機構を選択することと、
前記ＭＯコールを禁止するか、あるいは許可するかを決定するために、前記ＡＣＢ機構を適用することと、
を備える方法。
【請求項２】
前記ＵＥにおいて前記ＳＳＡＣパラメータが利用可能である場合に、前記ＳＳＡＣ機構を選択する、または、前記ＳＳＡＣパラメータが利用可能でない場合に、アクセス・クラス・バーリング（ＡＣＢ）機構を選択することと、
前記ＭＯコールを禁止するか、あるいは許可するかを決定するために、前記ＳＳＡＣ機構を適用することと、
をさらに備える、請求項１に記載の方法。
【請求項３】
システム情報ブロックが音声または映像のうちの少なくとも１つについて禁止を示していること、
前記ＵＥにおいてメモリに音声または映像のうちの少なくとも１つについて禁止が設定されていること、または
前記ＵＥにおいてネットワークによってブロードキャストされた公衆陸上モバイルネットワーク（ＰＬＭＮ）に一致するＰＬＭＮのリストが設定されていること、
のうちの少なくとも１つである場合に、前記ＳＳＡＣパラメータが利用可能であると決定される、請求項１に記載の方法。
【請求項４】
前記ＭＯコールを禁止するか、あるいは許可するかを決定するために、前記ＡＣＢ機構を適用することは、
前記ＵＥに割り当てられたアクセスクラス（ＡＣ）についてのブロードキャストされた数を受信することと、
乱数を生成することと、
前記乱数を前記ブロードキャストされた数と比較することと、
前記比較に基づいて、前記ＭＯコールを禁止するか、あるいは許可するかを決定することと、
を備える、請求項１に記載の方法。
【請求項５】
オフセット数を取得することと、
前記オフセット数を、前記ＵＥに割り当てられたアクセスクラス（ＡＣ）についてのブロードキャストされた数に適用することと、
をさらに備える、請求項３に記載の方法。
【請求項６】
請求項１から請求項５のうちのいずれか一項に記載の方法を実行する手段を備える、ユーザ機器。
【請求項７】
命令を記憶したコンピュータ読取可能記憶媒体であって、前記命令は、
請求項１から請求項５のうちのいずれか一項に記載の方法を実行するためにユーザ機器によって実行可能である、コンピュータ読取可能記憶媒体。
【発明の詳細な説明】
【技術分野】
【０００１】
関連出願の相互参照
[0001]本出願は、２０１３年４月２２日に出願された「ＶＯＩＰコールにおけるアクセス・クラス・バーリングのための方法および装置（METHODS AND APPARATUS FOR ACCESS CLASS BARRING FOR VOIP CALLS）」という名称の米国特許仮出願第６１／８１４，６６６号への米国特許法第１１９条（ｅ）に規定の優先権を主張し、この米国特許仮出願の内容は、この全体が、あらゆる目的において、ここでの言及によって本明細書に援用される。
【０００２】
[0002]本開示は、概して、通信システムに関し、より詳しくは、ボイス・オーバ・インターネット・プロトコル（ＶｏＩＰ）コールにおけるアクセス・クラス・バーリング（access class barring）のための方法および装置に関する。
【背景技術】
【０００３】
[0003]ワイヤレス通信システムが、電話、映像、データ、メッセージング、および放送、などの種々の電気通信サービスを提供するために広く展開されている。典型的なワイヤレス通信システムは、利用可能なシステムリソース（例えば、帯域幅、送信電力）を分配することによって多数のユーザとの通信をサポートすることができる多重アクセス技術を採用し得る。このような多重アクセス技術の例は、符号分割多重アクセス（ＣＤＭＡ）システム、時分割多重アクセス（ＴＤＭＡ）システム、周波数分割多重アクセス（ＦＤＭＡ）システム、直交周波数分割多重アクセス（ＯＦＤＭＡ）システム、単一キャリア周波数分割多重アクセス（ＳＣ−ＦＤＭＡ）システム、および時分割同期符号分割多重アクセス（ＴＤ−ＳＣＤＭＡ）システムを含む。
【０００４】
[0004]これらの多重アクセス技術は、地方、国家、地域、ならびに世界のレベルにおいて様々なワイヤレスデバイスの通信を可能にする共通のプロトコルを提供するために種々の電気通信規格において採用されている。新興の電気通信規格の一例が、ロング・ターム・エボリューション（ＬＴＥ）である。ＬＴＥ／ＬＴＥアドバンストは、第３世代パートナーシップ計画（３ＧＰＰ）によって公表されたユニバーサル移動体通信システム（ＵＭＴＳ）モバイル規格の一連の改良である。ＬＴＥ／ＬＴＥアドバンストは、ダウンリンク（ＤＬ）におけるＯＦＤＭＡ、アップリンク（ＵＬ）におけるＳＣ−ＦＤＭＡ、および多入力多出力（ＭＩＭＯ）アンテナを使用し、スペクトル効率の改善、コストの削減、サービスの改善、新たなスペクトルの利用、および他のオープンスタンダードとのより良好な統合によって、モバイル・ブロードバンド・インターネット・アクセスをより良好にサポートするように設計されている。しかしながら、モバイル・ブロードバンド・アクセスへの需要が増加を続けているがゆえに、ＬＴＥ技術のさらなる改善について、ニーズが存在している。好ましくは、これらの改善は、他の多重アクセス技術ならびにこれらの技術を採用する電気通信規格にも適用可能でなければならない。
【０００５】
[0005]ワイヤレス通信ネットワークは、いくつかのユーザ機器（ＵＥ）について通信をサポートすることができるいくつかの基地局を含み得る。ＵＥは、ダウンリンクおよびアップリンクを介して基地局と通信し得る。ダウンリンク（または、下りリンク）は、基地局からＵＥへの通信リンクを指し、アップリンク（または、上りリンク）は、ＵＥから基地局への通信リンクを指す。
【発明の概要】
【０００６】
[0006]本開示の特定の態様は、ユーザ機器（ＵＥ）によるワイヤレス通信のための方法を提供する。本方法は、概して、移動機発信（mobile originated）（ＭＯ）コールの送信を禁止するか、あるいは許可するかを決定するための第１のアクセスゲート機構に関するパラメータの利用可能性（availability）を決定することと、該決定に基づいて前記第１のアクセスゲート機構または第２のアクセスゲート機構を選択することと、前記ＭＯコールを禁止するか、あるいは許可するかを決定するために、前記選択されたゲート機構を適用することと、を含む。
【０００７】
[0007]本開示の特定の態様は、ユーザ機器（ＵＥ）によるワイヤレス通信のための装置を提供する。本装置は、概して、移動機発信（ＭＯ）コールの送信を禁止するか、あるいは許可するかを決定するための第１のアクセスゲート機構に関するパラメータの利用可能性を決定する手段と、該決定に基づいて前記第１のアクセスゲート機構または第２のアクセスゲート機構を選択する手段と、前記ＭＯコールを禁止するか、あるいは許可するかを決定するために、前記選択されたゲート機構を適用する手段と、を含む。
【０００８】
[0008]本開示の特定の態様は、ユーザ機器（ＵＥ）によるワイヤレス通信のための装置を提供する。本装置は、移動機発信（ＭＯ）コールの送信を禁止するか、あるいは許可するかを決定するための第１のアクセスゲート機構に関するパラメータの利用可能性を決定することと、該決定に基づいて前記第１のアクセスゲート機構または第２のアクセスゲート機構を選択することと、前記ＭＯコールを禁止するか、あるいは許可するかを決定するために、前記選択されたアクセスゲート機構を適用することと、を行うように構成された少なくとも１つのプロセッサを含む。
【０００９】
[0009]本開示の特定の態様は、ユーザ機器（ＵＥ）によるワイヤレス通信のためのコンピュータプログラム製品を提供する。本コンピュータプログラム製品は、概して、命令を記憶したコンピュータ読取可能媒体を含んでおり、前記命令は、移動機発信（ＭＯ）コールの送信を禁止するか、あるいは許可するかを決定するための第１のアクセスゲート機構に関するパラメータの利用可能性を決定し、該決定に基づいて前記第１のアクセスゲート機構または第２のアクセスゲート機構を選択し、前記ＭＯコールを禁止するか、あるいは許可するかを決定するために、該選択されたアクセスゲート機構を適用するために、１つ以上のプロセッサによって実行可能である。
【図面の簡単な説明】
【００１０】
【図１】[0010]図１は、ネットワークアーキテクチャの例を示す図である。
【図２】[0011]図２は、アクセスネットワークの例を示す図である。
【図３】[0012]図３は、ＬＴＥにおけるＤＬフレーム構造の例を示す図である。
【図４】[0013]図４は、ＬＴＥにおけるＵＬフレーム構造の例を示す図である。
【図５】[0014]図５は、ユーザおよび制御プレーンのための無線プロトコルアーキテクチャの例を示す図である。
【図６】[0015]図６は、本開示の特定の態様によるアクセスネットワークにおける発展型ノードＢおよびユーザ機器の例を示す図である。
【図７】[0016]図７は、本開示の特定の態様による例示的なアクセスゲートを有するユーザおよび制御プレーンのための無線プロトコルアーキテクチャの例を示す図である。
【図８】[0017]図８は、ユーザ機器（ＵＥ）によって実行される本開示の特定の態様による例示的な動作を示している。
【図９】[0018]図９は、ユーザ機器（ＵＥ）によって実行されるワイヤレス通信のための本開示の特定の態様による例示的な動作を示している。
【図１０】[0019]図１０は、改良されたアクセス・クラス・ブロッキングまたはバーリング（ＡＣＢ）手順を使用してユーザ機器（ＵＥ）によって実行される無線通信のための本開示の特定の態様による例示的な動作を示している。
【詳細な説明】
【００１１】
[0020]添付の図面に関連して以下で述べられる詳細な説明は、種々の構成の説明として意図されており、本明細書に記載の考え方が実現され得る構成だけを表そうとしたものではない。詳細な説明は、種々の考え方の完全な理解をもたらす目的で、具体的な詳細を含む。しかしながら、これらの考え方が、これらの具体的な詳細を備えることなく実施され得ることは、当業者にとって明らかであろう。いくつかの場合においては、このような考え方を不明瞭にしてしまわないよう、周知の構造およびコンポーネントは、ブロック図の形態で示されている。
【００１２】
[0021]次に、電気通信システムのいくつかの態様が、種々の装置および方法に関して提示される。これらの装置および方法は、種々のブロック、モジュール、コンポーネント、回路、工程、処理、アルゴリズム、など（まとめて「構成要素」と称される）によって、以下の詳細な説明において説明され、添付の図面に示される。これらの構成要素は、ハードウェア、ソフトウェア／ファームウェア、またはこれらの組み合わせを使用して実現され得る。このような構成要素がハードウェアとして実現されるか、あるいはソフトウェアとして実現されるかは、個々の用途およびシステム全体に課される設計上の制約事項に依存する。
【００１３】
[0022]例えば、構成要素、または構成要素のいずれかの部分、あるいは構成要素の何らかの組み合わせを、１つ以上のプロセッサを含む「処理システム」で実現され得る。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理素子（ＰＬＤ）、ステートマシン、ゲート論理回路、ディスクリートハードウェア回路、および本明細書の各所に記載の種々の機能を実行するように構成された他の適切なハードウェアを含む。処理システム内の１つ以上のプロセッサは、ソフトウェアを実行し得る。ソフトウェアは、ソフトウェア／ファームウェア、ミドルウェア、マイクロコード、またはハードウェア記述言語のいずれとして言及されても、あるいは他の方法で言及されても、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、機能、などを意味するものと広く解釈されるべきである。
【００１４】
[0023]したがって、１つ以上の例示的な実施形態においては、説明される機能を、ハードウェア、ソフトウェア／ファームウェア、またはこれらの組み合わせにて実現され得る。ソフトウェアにて実現される場合、これらの機能は、コンピュータ読取可能な媒体上に１つ以上の命令またはコードとして保存またはエンコードされ得る。コンピュータ読取可能な媒体は、コンピュータ記憶媒体を含む。記憶媒体は、コンピュータによってアクセスされ得る任意の利用可能な媒体であり得る。これらに限られるわけではないが、例として、このようなコンピュータ読取可能媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶装置、あるいは所望のプログラムコードを命令またはデータ構造の形態で保持または記憶するために使用することができ、コンピュータによるアクセスが可能である任意の他の媒体を備えることができる。本明細書において使用されるとき、ディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、およびＢｌｕ−ｒａｙ（登録商標）ディスクを含み、ここでディスク（ｄｉｓｋ）が、通常はデータを磁気的に再生する一方で、ディスク（ｄｉｓｃ）は、データをレーザで光学的に再生する。上記の組み合わせもまた、コンピュータ読取可能媒体の範囲内に含まれるべきである。
【００１５】
[0024]図１は、ＬＴＥネットワークアーキテクチャ１００を説明する図である。ＬＴＥネットワークアーキテクチャ１００は、発展型パケット・システム（ＥＰＳ）１００と称され得る。ＥＰＳ１００は、１つ以上のユーザ機器（ＵＥ）１０２と、発展型ＵＭＴＳ地上波無線アクセスネットワーク（Ｅ−ＵＴＲＡＮ）１０４と、発展型パケット・コア（ＥＰＣ）１１０と、ホーム加入者サーバ（ＨＳＳ）１２０と、オペレータのＩＰサービス１２２とを含み得る。ＥＰＳは、他のアクセスネットワークとの相互接続が可能であるが、分かり易くするために、これらのエンティティ／インターフェイスは示されていない。例示的な他のアクセスネットワークは、ＩＰマルチメディアサブシステム（ＩＭＳ）ＰＤＮ、インターネットＰＤＮ、管理ＰＤＮ（例えば、プロビジョニングＰＤＮ）、キャリア特有ＰＤＮ、オペレータ特有ＰＤＮ、および／またはＧＰＳ  ＰＤＮを含み得る。図示のとおり、ＥＰＳはパケット交換サービスを提供するが、当業者であれば容易に理解できるとおり、本明細書の全体において提示される種々の考え方は、回路交換サービスを提供するネットワークにも拡張され得る。
【００１６】
[0025]Ｅ−ＵＴＲＡＮは、発展型ノードＢ（ｅＮＢ）１０６および他のｅＮＢ１０８を含む。ｅＮＢ１０６は、ＵＥ１０２へのユーザおよび制御プレーンプロトコル終端を提供する。ｅＮＢ１０６を、Ｘ２インターフェイス（例えば、バックホール）を介して他のｅＮＢ１０８に接続され得る。ｅＮＢ１０６を、基地局、ベース・トランシーバ・ステーション、無線基地局、無線トランシーバ、トランシーバ機能、基本サービスセット（ＢＳＳ）、拡張サービスセット（ＥＳＳ）、または何らかの他の適切な用語で呼び得る。ｅＮＢ１０６は、ＵＥ１０２にＥＰＣ１１０へのアクセスポイントを提供する。ＵＥ１０２の例は、携帯電話機、スマートフォン、セッション・イニシエーション・プロトコル（ＳＩＰ）フォン、ラップトップ、携帯情報端末（ＰＤＡ）、衛星無線機、グローバル・ポジショニング・システム、マルチメディアデバイス、ビデオデバイス、デジタル・オーディオ・プレイヤー（例えば、ＭＰ３プレイヤー）、カメラ、ゲーム機、タブレット、ネットブック、スマートブック、または任意の他の同様の機能のデバイスを含む。ＵＥ１０２を、当業者は、移動局、加入者設備、モバイルユニット、加入者ユニット、ワイヤレスユニット、リモートユニット、移動機、ワイヤレスデバイス、ワイヤレス通信デバイス、リモートデバイス、移動加入者設備、アクセス端末、モバイル端末、ワイヤレス端末、リモート端末、ハンドセット、ユーザエージェント、モバイルクライアント、クライアント、または何らかの他の適切な用語で呼び得る。
【００１７】
[0026]ｅＮＢ１０６は、Ｓ１インターフェイスによってＥＰＣ１１０に接続される。ＥＰＣ１１０は、モビリティ管理エンティティ（ＭＭＥ１１２）、他のＭＭＥ１１４、サービングゲートウェイ１１６、およびパケット・データ・ネットワーク（ＰＤＮ）ゲートウェイ１１８を含む。ＭＭＥ１１２は、ＵＥ１０２とＥＰＣ１１０との間の信号伝達を処理する制御ノードである。一般に、ＭＭＥ１１２は、ベアラ（bearer）および接続の管理を提供する。すべてのユーザＩＰパケットは、サービングゲートウェイ１１６を通って運ばれ、サービングゲートウェイ１１６自身は、ＰＤＮゲートウェイ１１８に接続されている。ＰＤＮゲートウェイ１１８は、ＵＥ  ＩＰアドレス割り当てならびに他の機能を提供する。ＰＤＮゲートウェイ１１８は、オペレータのＩＰサービス１２２に接続される。オペレータのＩＰサービス１２２は、例えばインターネット、イントラネット、ＩＰマルチメディアサブシステム（ＩＭＳ）、およびＰＳストリーミングサービス（ＰＳＳ）を含み得る。この方法で、ＵＥ１０２を、ＬＴＥネットワークを介してＰＤＮに接続され得る。
【００１８】
[0027]図２は、ＬＴＥネットワークアーキテクチャにおけるアクセスネットワーク２００の例を示す図である。この例において、アクセスネットワーク２００は、いくつかのセルラー領域（セル）２０２に分割されている。１つ以上のより低い電力クラス（lower power class）のｅＮＢ２０８は、セル２０２のうちの１つ以上と重複するセルラー領域２１０を有し得る。より低い電力クラスのｅＮＢ２０８は、リモート・ラジオ・ヘッド（remote radio head）（ＲＲＨ）と称され得る。より低い電力クラスのｅＮＢ２０８は、フェムトセル（例えば、ホームｅＮＢ（ＨｅＮＢ））、ピコセル、またはマイクロセルであり得る。マクロｅＮＢ２０４の各々が、それぞれのセル２０２に割り当てられ、セル２０２内のすべてのＵＥ２０６のためにＥＰＣ１１０へのアクセスポイントを提供するように構成される。アクセスネットワーク２００のこの例では、中央集中コントローラが存在しないが、代案の構成においては、中央集中コントローラが使用され得る。ｅＮＢ２０４は、無線ベアラ制御、アドミッション制御、モビリティ制御、スケジューリング、セキュリティ、およびサービングゲートウェイ１１６への接続を含むすべての無線関連機能を担当する。
【００１９】
[0028]アクセスネットワーク２００によって用いられる変調および多重アクセスのスキームは、展開されている特定の電気通信規格に依存して様々であり得る。ＬＴＥアプリケーションにおいては、ＤＬにおいてＯＦＤＭが使用され、ＵＬにおいてＳＣ−ＦＤＭＡが使用され、周波数分割複信（ＦＤＤ）および時分割複信（ＴＤＤ）の両方がサポートされる。当業者であれば以下の詳細な説明から容易に理解できるとおり、本明細書に提示される種々の考え方は、ＬＴＥアプリケーションによく適している。しかしながら、これらの考え方は、他の変調および多重アクセス技術を使用する他の電気通信規格に容易に拡張され得る。例として、これらの考え方は、エボリューション・データ・オプティマイズド（ＥＶ−ＤＯ）またはウルトラ・モバイル・ブロードバンド（ＵＭＢ）に拡張され得る。ＥＶ−ＤＯおよびＵＭＢは、第３世代パートナーシッププロジェクト２（３ＧＰＰ２）によってＣＤＭＡ２０００ファミリの規格の一部として公表された電波インターフェイス規格であり、ＣＤＭＡを用いて移動局にブロードバンド・インターネット・アクセスを提供する。さらに、これらの考え方は、広帯域ＣＤＭＡ（Ｗ−ＣＤＭＡ（登録商標））およびＴＤ−ＳＣＤＭＡなどのＣＤＭＡの他の変型を用いるユニバーサル地上波無線アクセス（ＵＴＲＡ）、ＴＤＭＡを用いるグローバル・システム・フォー・モバイル・コミュニケーションズ（ＧＳＭ（登録商標）、ならびにＯＦＤＭＡを用いる発展型ＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張され得る。ＵＴＲＡ、Ｅ−ＵＴＲＡ、ＵＭＴＳ、ＬＴＥ、およびＧＳＭ（登録商標）は、３ＧＰＰ団体からの文書において説明されている。ＣＤＭＡ２０００およびＵＭＢは、３ＧＰＰ２団体からの文書において説明されている。用いられる実際のワイヤレス通信規格および多重アクセス技術は、具体的な用途およびシステムに課された全体的な設計の制約に依存すると考えられる。
【００２０】
[0029]ｅＮＢ２０４は、ＭＩＭＯ技術をサポートする複数のアンテナを有し得る。ＭＩＭＯ技術の使用により、ｅＮＢ２０４は、空間ドメインを利用して空間多重化、ビームフォーミング、および送信ダイバーシティをサポートすることができる。空間多重化は、同じ周波数において同時に異なるデータストリームを送信するために使用され得る。データストリームは、データレートを高めるために単一のＵＥ２０６に送信されてよく、あるいは全体としてのシステムの能力を高めるために複数のＵＥ２０６に送信され得る。これは、各々のデータストリームを空間的にプリコーディング（spatially precoding）（例えば、振幅および位相のスケーリングを適用）し、次いで空間的にプリコーディングされた各々のストリームをＤＬにおいて複数の送信アンテナを通じて送信することによって達成される。空間的にプリコーディングされたデータストリームが、異なる空間シグネチャ（spatial signature）を有してＵＥ２０６に到達することで、各々のＵＥ２０６は、このＵＥ２０６に向けられた１つ以上のデータストリームを復元することができる。ＵＬにおいて、各々のＵＥ２０６が、空間的にプリコーディングされたデータストリームを送信することで、ｅＮＢ２０４は、空間的にプリコーティングされた各々のデータストリームのソースを識別することができる。
【００２１】
[0030]空間多重化は、一般的に、チャネル条件が良好な場合に使用される。チャネル条件があまり良好でない場合、送信エネルギを１つ以上の方向に集中させるために、ビームフォーミングが使用され得る。これは、複数のアンテナによる送信のためにデータを空間的にプリコーディングすることによって達成され得る。セルの端における良好なカバレッジを達成するために、単一ストリームのビームフォーミング送信が、送信ダイバーシティと組み合わせて使用され得る。
【００２２】
[0031]以下の詳細な説明においては、アクセスネットワークの種々の態様が、ＤＬにおいてＯＦＤＭをサポートするＭＩＭＯシステムに関連して説明される。ＯＦＤＭは、ＯＦＤＭシンボル内のいくつかのサブキャリアにわたってデータを変調するスペクトル拡散技術である。サブキャリアは、間隔を開けて精密周波数に位置している。間隔は、サブキャリアからのデータの復元を受信機にとって可能にする「直交性」を提供する。時間ドメインにおいて、ＯＦＤＭシンボル間干渉に対抗するために、ガードインターバル（例えば、サイクリックプリフィクス）が、各々のＯＦＤＭシンボルに追加され得る。ＵＬは、高いピーク対平均電力比（peak-to-average power ratio）（ＰＡＰＲ）を補償するために、ＤＦＴ拡散ＯＦＤＭ信号の形態のＳＣ−ＦＤＭＡを使用し得る。
【００２３】
[0032]図３は、ＬＴＥにおけるＤＬフレーム構造の例を示す図３００である。フレーム（１０ｍｓ）は、０〜９の添え字を有する１０個の等しいサイズのサブフレームに分割され得る。各サブフレームは、２個の連続するタイムスロットを含み得る。各々がリソースブロックを含む２個のタイムスロットを表すために、リソースグリッドが使用され得る。リソースグリッドは、複数のリソースエレメントに分割される。ＬＴＥにおいては、リソースブロックが、周波数ドメインにおいて１２個の連続するサブキャリアを含むとともに、各々のＯＦＤＭシンボルにおける標準サイクリックプリフィクス（cyclic prefix）の場合に、時間ドメインに７個の連続するＯＦＤＭシンボルを含み、すなわち８４個のリソースエレメントを含む。拡張サイクリックプリフィクスの場合、リソースブロックは、時間ドメインに６個の連続するＯＦＤＭシンボルを含み、したがって７２個のリソースエレメントを有する。リソースエレメントのうちのいくつかは、Ｒ  ３０２、３０４として示されるように、ＤＬ基準信号（ＤＬ−ＲＳ）を含む。ＤＬ−ＲＳは、セル固有のＲＳ（ＣＲＳ）（共通ＲＳと呼ばれることもある）３０２と、ＵＥ固有のＲＳ（ＵＥ−ＲＳ）３０４とを含む。ＵＥ−ＲＳ３０４は、対応する物理ＤＬ共有チャネル（ＰＤＳＣＨ）がマッピングされたリソースブロックにおいてのみ送信される。各々のリソースエレメントによって搬送されるビット数は、変調スキームに依存する。すなわち、ＵＥが受信するリソースブロックがより多く、変調スキームが高度であるほど、このＵＥについてのデータレートは高くなる。
【００２４】
[0033]ＬＴＥにおいて、ｅＮＢは、ｅＮＢ内の各セルについて第１同期信号（ＰＳＳ）および第２同期信号（ＳＳＳ）を送信し得る。第１および第２同期信号は、標準サイクリックプリフィクス（ＣＰ）における各々の無線フレームのサブフレーム０および５において、それぞれシンボル期間６および５において送信され得る。同期信号は、ＵＥによってセルの検出および取得のために使用され得る。ｅＮＢは、サブフレーム０のスロット１のシンボル期間０〜３において物理報知チャネル（ＰＢＣＨ）を送信し得る。ＰＢＣＨは、特定のシステム情報を搬送し得る。
【００２５】
[0034]ｅＮＢは、各々のサブフレームの第１のシンボル期間において、物理制御フォーマット・インジケータ・チャネル（ＰＣＦＩＣＨ）を送信し得る。ＰＣＦＩＣＨは、制御チャネルに使用されるシンボル期間の数（Ｍ）を伝達し得、ここでＭは、１、２、または３に等しくてよく、サブフレームごとに変化し得る。Ｍは、例えば１０個未満のリソースブロックなど、小さなシステム帯域幅においては４に等しくあり得る。ｅＮＢは、各々のサブフレームの最初のＭ個のシンボル期間において、物理ＨＡＲＱインジケータチャネル（ＰＨＩＣＨ）および物理ダウンリンク制御チャネル（ＰＤＣＣＨ）を送信し得る。ＰＨＩＣＨは、ハイブリッド自動再送要求（ＨＡＲＱ）をサポートするための情報を搬送し得る。ＰＤＣＣＨは、ＵＥのためのリソース割り当てについての情報およびダウンリンクチャネルに関する制御情報を搬送し得る。ｅＮＢは、各々のサブフレームの残りのシンボル期間において物理ダウンリンク共有チャネル（ＰＤＳＣＨ）を送信し得る。ＰＤＳＣＨは、ダウンリンクにおけるデータ伝送についてスケジューリングされたＵＥのためのデータを搬送し得る。
【００２６】
[0035]ｅＮＢは、ｅＮＢによって使用されるシステム帯域幅の中央１．０８ＭＨｚにおいてＰＳＳ、ＳＳＳ、およびＰＢＣＨを送信し得る。ｅＮＢは、ＰＣＦＩＣＨおよびＰＨＩＣＨを、これらのチャネルが送信される各々のシンボル期間においてシステム帯域幅の全体にまたがって送信し得る。ｅＮＢは、システム帯域幅の特定の部分においてＵＥのグループにＰＤＣＣＨを送信し得る。ｅＮＢは、システム帯域幅の特定の部分において特定のＵＥにＰＤＳＣＨを送信し得る。ｅＮＢは、ＰＳＳ、ＳＳＳ、ＰＢＣＨ、ＰＣＦＩＣＨ、およびＰＨＩＣＨをブロードキャストの方法ですべてのＵＥに送信し得、ＰＤＣＣＨをユニキャストな方法で特定のＵＥに送信し得、さらにＰＤＳＣＨをユニキャストな方法で特定のＵＥに送信し得る。
【００２７】
[0036]いくつかのリソースエレメントが、各々のシンボル期間において利用可能であり得る。各々のリソースエレメント（ＲＥ）は、１つのシンボル期間において１つのサブキャリアをカバーし得、実数値または複素値であり得る１つの変調シンボルを送信するために使用され得る。各々のシンボル期間において基準信号に使用されないリソースエレメントは、リソースエレメント・グループ（ＲＥＧ）に配置され得る。各々のＲＥＧは、１つのシンボル期間に４つのリソースエレメントを含み得る。ＰＣＦＩＣＨは、シンボル期間０において周波数をほぼ等間隔に横切って位置し得る４つのＲＥＧを占め得る。ＰＨＩＣＨは、１つ以上の設定可能なシンボル期間において周波数を横切って分散し得る３つのＲＥＧを占め得る。例えば、ＰＨＩＣＨのための３つのＲＥＧは、すべてがシンボル期間０に属し得、あるいはシンボル期間０、１、および２に分散し得る。ＰＤＣＣＨは、例えば最初のＭ個のシンボル期間において利用可能なＲＥＧから選択され得る９個、１８個、３６個、または７２個のＲＥＧを占め得る。ＲＥＧの特定の組み合わせだけが、ＰＤＣＣＨについて許され得る。
【００２８】
[0037]ＵＥは、ＰＨＩＣＨおよびＰＣＦＩＣＨに使用される特定のＲＥＧを知り得る。ＵＥは、ＰＤＣＣＨのためのＲＥＧの異なる組み合わせを検索し得る。検索される組み合わせの数は、典型的には、ＰＤＣＣＨについて許される組み合わせの数よりも少ない。ｅＮＢは、ＵＥが検索する組み合わせのうちのいずれかにてＵＥにＰＤＣＣＨを送信し得る。
【００２９】
[0038]図４は、ＬＴＥにおけるＵＬフレーム構造の例を示す図４００である。ＵＬのために利用可能なリソースブロックは、データセクションと制御セクションとに分割され得る。制御セクションは、システム帯域幅の両端に形成され得、設定可能なサイズを有し得る。制御セクション内のリソースブロックは、制御情報の送信のためにＵＥに割り当てられ得る。データセクションは、制御セクションに含まれないすべてのリソースブロックを含み得る。ＵＬフレーム構造は、連続するサブキャリアを含むデータセクションをもたらし、データセクションの連続するサブキャリアのすべてを単一のＵＥに割り当てることを可能にし得る。
【００３０】
[0039]ＵＥに、ｅＮＢに制御情報を送信するために、制御セクションのリソースブロック４１０ａ、４１０ｂが割り当てられ得る。さらに、ＵＥに、ｅＮＢにデータを送信するために、データセクションのリソースブロック４２０ａ、４２０ｂが割り当てられ得る。ＵＥは、制御セクションの割り当てられたリソースブロックにおいて、物理ＵＬ制御チャネル（ＰＵＣＣＨ）にて制御情報を送信し得る。ＵＥは、データセクションの割り当てられたリソースブロックにおいて、物理ＵＬ共有チャネル（ＰＵＳＣＨ）にてデータのみ、またはデータおよび制御情報の両方を送信し得る。ＵＬ送信は、サブフレームの両方のスロットにまたがり得、周波数を横断してホッピングし得る。
【００３１】
[0040]リソースブロックの組が、物理ランダム・アクセス・チャネル（ＰＲＡＣＨ）４３０において初期システムアクセスを実行し、ＵＬ同期を達成するために使用され得る。ＰＲＡＣＨ４３０は、ランダムシーケンスを搬送するが、いかなるＵＬデータ／シグナリングも搬送できない。各々のランダム・アクセス・プリアンブルが、連続する６個のリソースブロックに対応する帯域幅を占める。開始周波数は、ネットワークによって指定される。すなわち、ランダム・アクセス・プリアンブルの送信は、特定の時間および周波数リソースに限られる。ＰＲＡＣＨについて、周波数ホッピングは存在しない。ＰＲＡＣＨの試みは、単一のサブフレーム（１ｍｓ）または連続した少数のサブフレームのシーケンスにて搬送され、ＵＥは、１フレーム（１０ｍｓ）につき１回だけＰＲＡＣＨの試みを行うことができる。
【００３２】
[0041]図５は、ＬＴＥにおけるユーザおよび制御プレーンのための無線プロトコルアーキテクチャの例を示す図５００である。ＵＥおよびｅＮＢのための無線プロトコルアーキテクチャが、レイヤ１、レイヤ２、およびレイヤ３という３つのレイヤを有して示されている。レイヤ１（Ｌ１レイヤ）は、最下位のレイヤであり、種々の物理レイヤ信号処理機能を実現する。Ｌ１レイヤは、本明細書において、物理レイヤ５０６と呼ばれる。レイヤ２（Ｌ２レイヤ）５０８は、物理レイヤ５０６の上方にあり、物理レイヤ５０６を介したＵＥとｅＮＢとの間のリンクを担当する。
【００３３】
[0042]ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケット・データ・コンバージェンス・プロトコル（ＰＤＣＰ）５１４サブレイヤを含み、これらはネットワーク側においてｅＮＢを終端とする。図示されていないが、ＵＥは、ネットワーク側においてＰＤＮゲートウェイ１１８を終端とするネットワークレイヤ（例えば、ＩＰレイヤ）および接続の他端（例えば、遠端のＵＥ、サーバ、など）を終端とするアプリケーションレイヤを含むＬ２レイヤ５０８の上方のいくつかの上位レイヤを有し得る。
【００３４】
[0043]ＰＤＣＰサブレイヤ５１４は、異なる無線ベアラおよび論理チャネルの間の多重化を提供する。さらに、ＰＤＣＰサブレイヤ５１４は、無線送信のオーバーヘッドを減らすための上位レイヤのデータパケットのヘッダ圧縮、データパケットを暗号化することによるセキュリティ、およびｅＮＢ間のＵＥのハンドオーバのサポートを提供する。ＲＬＣサブレイヤ５１２は、ハイブリッド自動再送要求（ＨＡＲＱ）に起因して順序が乱れた受信を補償するために、上位レイヤデータパケットの分割（segmentation）および再構築（reassembly）、失われたデータパケットの再送、およびデータパケットの並べ替え（reordering）を提供する。ＭＡＣサブレイヤ５１０は、論理およびトランスポートチャネルの間の多重化を提供する。さらに、ＭＡＣサブレイヤ５１０は、１つのセルの種々の無線リソース（例えば、リソースブロック）のＵＥ間の割り当てを担当する。また、ＭＡＣサブレイヤ５１０は、ＨＡＲＱ動作も担当する。
【００３５】
[0044]制御プレーンにおいて、ＵＥおよびｅＮＢのための無線プロトコルアーキテクチャは、制御プレーンにはヘッダ圧縮機能が存在しない点を除き、物理レイヤ５０６およびＬ２レイヤ５０８について実質的に同じである。さらに、制御プレーンは、レイヤ３（Ｌ３レイヤ）に無線リソース制御（ＲＲＣ）サブレイヤ５１６を含む。ＲＲＣサブレイヤ５１６は、無線リソース（すなわち、無線ベアラ）の取得、およびｅＮＢとＵＥとの間のＲＲＣシグナリングを用いる下位レイヤの設定を担当する。
【００３６】
[0045]図６は、アクセスネットワークにおいてＵＥ６５０と通信するｅＮＢ６１０のブロック図である。ＤＬにおいて、コアネットワークからの上位レイヤパケットが、コントローラ／プロセッサ６７５にもたらされる。コントローラ／プロセッサ６７５は、Ｌ２レイヤの機能を実現する。ＤＬにおいて、コントローラ／プロセッサ６７５は、ヘッダ圧縮、暗号化、パケットの分割および並べ替え、論理およびトランスポートチャネルの間の多重化、ならびに種々の優先度の基準に基づくＵＥ６５０への無線リソースの割り当てを提供する。さらに、コントローラ／プロセッサ６７５は、ＨＡＲＱ動作、失われたパケットの再送、およびＵＥ６５０へのシグナリングを担当する。
【００３７】
[0046]ＴＸプロセッサ６１６が、Ｌ１レイヤ（すなわち、物理レイヤ）のための種々の信号処理機能を実現する。信号処理機能は、ＵＥ６５０での前方誤り訂正（ＦＥＣ）を容易にするための符号化およびインターリービング、ならびに種々の変調スキーム（例えば、二位相偏移変調（ＢＰＳＫ）、四位相偏移変調（ＱＰＳＫ）、多値位相偏移変調（Ｍ−ＰＳＫ）、多値直交振幅変調（Ｍ−ＱＡＭ））に基づく信号配列へのマッピングを含む。次いで、符号化および変調後のシンボルは、並列ストリームに分けられる。次に、各々のストリームが、ＯＦＤＭサブキャリアにマッピングされ、時間および／または周波数ドメインにおいて基準信号（例えば、パイロット）と多重化され、次いで逆高速フーリエ変換（ＩＦＦＴ）を用いて一体に結合され、時間ドメインＯＦＤＭシンボルストリームを搬送する物理チャネルが生成される。ＯＦＤＭストリームは、複数の空間ストリームを生成するために空間的にプリコーディングされる。符号化および変調スキームの決定、ならびに空間処理のために、チャネル推定器６７４からのチャネル推定値が使用され得る。チャネル推定値は、ＵＥ６５０によって送信された基準信号および／またはチャネル条件フィードバックから導出され得る。次いで、各々の空間ストリームが、個々の送信機６１８ＴＸを介して異なるアンテナ６２０にもたらされる。各々の送信機６１８ＴＸは、送信のために、それぞれの空間ストリームでＲＦ搬送波を変調する。
【００３８】
[0047]ＵＥ６５０において、各々の受信機６５４ＲＸが、それぞれのアンテナ６５２を通して信号を受信する。各々の受信機６５４ＲＸは、ＲＦ搬送波に変調された情報を復元し、この情報を受信機（ＲＸ）プロセッサ６５６にもたらす。ＲＸプロセッサ６５６は、Ｌ１レイヤの種々の信号処理機能を実現する。ＲＸプロセッサ６５６は、ＵＥ６５０に向けられた任意の空間ストリームを復元するために、情報に対して空間処理を実行する。複数の空間ストリームがＵＥ６５０に向けられている場合、これらは、ＲＸプロセッサ６５６によって単一のＯＦＤＭシンボルストリームに結合され得る。次に、ＲＸプロセッサ６５６は、高速フーリエ変換（ＦＦＴ）を用いて、ＯＦＤＭシンボルストリームを時間ドメインから周波数ドメインに変換する。周波数ドメインの信号は、ＯＦＤＭ信号の各々のサブキャリアについて別々のＯＦＤＭシンボルストリームを備える。各々のサブキャリア上のシンボルおよび基準信号は、ｅＮＢ６１０によって送信された最も可能性の高い信号配列点を決定することによって復元および復調される。これらの軟判定（soft decisions）は、チャネル推定器６５８によって計算されたチャネル推定値に基づき得る。次に、軟判定が、物理チャネルにおいてｅＮＢ６１０によって最初に送信されたデータおよび制御信号を復元するために、復号およびデインターリーブされる。次いで、データおよび制御信号は、コントローラ／プロセッサ６５９にもたらされる。
【００３９】
[0048]コントローラ／プロセッサ６５９は、Ｌ２レイヤを実現する。コントローラ／プロセッサは、プログラムコードおよびデータを格納するメモリ６６０に組み合わせられ得る。メモリ６６０は、コンピュータ読取可能媒体と呼ばれ得る。ＵＬにおいて、コントロール／プロセッサ６５９は、コアネットワークからの上位レイヤパケットを復元するために、トランスポートおよび論理チャネルの間の多重化の解除、パケットの再構築、暗号化の解除、ヘッダ圧縮の解凍、ならびに制御信号の処理を提供する。次に、上位レイヤパケットは、Ｌ２レイヤよりも上位のすべてのプロトコルレイヤを表すデータシンク６６２にもたらされる。種々の制御信号も、Ｌ３処理のために、データシンク６６２にもたらされ得る。さらに、コントローラ／プロセッサ６５９は、ＨＡＲＱ動作をサポートするために、肯定応答（ＡＣＫ）および／または否定応答（ＮＡＣＫ）プロトコルを使用した誤り検出を担当する。
【００４０】
[0049]ＵＬにおいて、データソース６６７が、コントローラ／プロセッサ６５９に上位レイヤパケットをもたらすために使用される。データソース６６７は、Ｌ２レイヤよりも上位のすべてのプロトコルレイヤを表す。ｅＮＢ６１０によるＤＬ送信に関連して説明した機能と同様に、コントローラ／プロセッサ６５９は、ヘッダ圧縮、暗号化、パケットの分割および並べ替え、ならびにｅＮＢ６１０による無線リソースの割り当てに基づいた論理およびトランスポートチャネルとの間の多重化を提供することにより、ユーザプレーンおよび制御プレーンのためのＬ２レイヤを実現する。また、コントローラ／プロセッサ６５９は、ＨＡＲＱ動作、失われたパケットの再送、およびｅＮＢ６１０へのシグナリングを担当する。
【００４１】
[0050]ｅＮＢ６１０によって送信された基準信号またはフィードバックからチャネル推定器６５８によって導出されるチャネル推定値が、適切な符号化および変調のスキームを選択し、空間処理を容易にするために、ＴＸプロセッサ６６８によって使用され得る。ＴＸプロセッサ６６８によって生成された空間ストリームは、個々の送信機６５４ＴＸを介して異なるアンテナ６５２にもたらされる。各々の送信機６５４ＴＸは、送信のために、それぞれの空間ストリームでＲＦ搬送波を変調する。
【００４２】
[0051]ＵＬ送信は、ｅＮＢ６１０において、ＵＥ６５０における受信機の機能に関連して説明した方法と同様の方法で処理される。各々の受信機６１８ＲＸが、それぞれのアンテナ６２０を通して信号を受信する。各々の受信機６１８ＲＸは、ＲＦ搬送波に変調された情報を復元し、この情報をＲＸプロセッサ６７０にもたらす。ＲＸプロセッサ６７０は、Ｌ１レイヤを実現し得る。
【００４３】
[0052]コントローラ／プロセッサ６７５が、Ｌ２レイヤを実現する。コントローラ／プロセッサ６７５は、プログラムコードおよびデータを格納するメモリ６７６に組み合わせられ得る。メモリ６７６は、コンピュータ読取可能媒体と呼ばれ得る。ＵＬにおいて、コントロール／プロセッサ６７５は、ＵＥ６５０からの上位レイヤパケットを復元するために、トランスポートおよび論理チャネルの間の多重化の解除、パケットの再構築、暗号化の解除、ヘッダ圧縮の解凍、ならびに制御信号の処理を提供する。コントローラ／プロセッサ６７５からの上位レイヤパケットは、コアネットワークにもたらされ得る。さらに、コントローラ／プロセッサ６７５は、ＨＡＲＱ動作をサポートするために、ＡＣＫおよび／またはＮＡＣＫプロトコルを使用した誤り検出を担当する。
【００４４】
ＶＯＩＰコールにおける例示的なアクセス・クラス・バーリング
[0053]本開示の諸態様は、ボイス・オーバ・インターネット・プロトコル（ＶｏＩＰ）コールにおけるアクセス・クラス・バーリングのための技術および装置を提供する。
【００４５】
[0054]ボイスオーバＬＴＥ（ＶｏＬＴＥ）コールなどのＶｏＩＰコールにおけるアクセスバーリングに関して、特定の規格（例えば、３ＧＰＰ仕様）の現状は不完全である。オペレータは、すべてのＰＳデータコールおよびＶｏＬＴＥコールをブロックでき、あるいはＶｏＬＴＥコールをブロックしながらすべてのＰＳデータコールを許すことができる。残念ながら、現在の規格のもとでは、オペレータは、すべてのＰＳデータコールをブロックしながらＶｏＬＴＥコールを許すことができない場合がある。
【００４６】
[0055]したがって、ネットワークにとって、すべてのユーザデータをブロックしながらＶｏＬＴＥおよび／またはテレビ電話（ＶＴ）コールを許す方法がないかもしれない。換言すると、現時点では、ＶｏＬＴＥ／ＶＴサービスは、基本的に、他の形態のデータと等価に取り扱われる。しかしながら、これは、展開されている音声技術がＶｏＩＰであると仮定し、オペレータが音声コールを許し、すべての形態またはデータセッション（例えば、ブラウジング、ソーシャルメディア、ＦＴＰ、ビデオストリーミング、など）をブロックすることを望む状況においては、適切でないことがあり得る。３ＧＰＰ規格が、サービス固有アクセス規制（ＳＳＡＣ：service specific access control）と呼ばれる特徴を定めていることが、注目され得る。しかしながら、ＳＳＡＣは逆の効果を果たし、すなわち、音声およびＶＴコールをブロックしつつ、他の形態のユーザデータを許す。
【００４７】
[0056]したがって、オペレータがユーザのＶｏＬＴＥコールを許し、他のすべての種類のユーザデータ交換を拒否することができる、技術的解決策についてのニーズが存在し得る。
【００４８】
[0057]本発明の特定の態様によれば、ＵＥが、ＶｏＩＰコール（例えば、ＶｏＬＴＥ／ＶＴコール）を可能にしつつ、他の種類のユーザデータ交換を許さないように構成され得る。いくつかの場合において、これは、２つの別個のブロック機構（本明細書において、「ゲート」と称される）の組み合わせによって達成され得る。説明されるように、第２のゲートがいつ適用されるか（および、場合によっては、どのように適用されるか）は、第１のゲートが適用されているか否かに依存し得る。
【００４９】
[0058]例えば、図７を参照すると、第１のゲートは、非アクセス層（ＮＡＳ）レイヤ５１８において適用され得る。この第１のゲートは、ＳＳＡＣに対応し得、電話通信コール（例えば、ダイアリング、ＶｏＬＴＥ／ＶＴコール）をどのように取り扱うかを決定するマルチメディア／電話通信（ＭＭＴＥＬ）コンポーネントに組み込まれ得る。
【００５０】
[0059]第２のゲートは、ＲＲＣレイヤ５１６に適用され得る。この第２のゲートは、ＡＣＢに対応し得る。さらに詳しく後述されるように、いくつかの場合において、この第２のゲートがいつどのように適用されるかは、第１のゲートについてのパラメータが利用可能であるか否かに依存し得る。例えば、ＳＳＡＣパラメータが（例えば、ＳＩＢ２において）ブロードキャストされるときには、ゲート１だけが適用され得る。他方で、ＳＳＡＣパラメータがブロードキャストされないときには、ゲート２が適用され得る。
【００５１】
[0060]オペレータは、例えば、いつコールを許すべきかを決定するためにＵＥが使用し得る種々のアクセスクラス（ＡＣ）についてのパラメータをブロードキャストすることによって、ゲート機構を設定し得る。例えば、各々のＵＥが、ＡＣ値を割り当てられることができ、各々のＵＥは、コールを開始するときに、このＡＣ値についてブロードキャストされたパラメータ（「バーリングレート」）と比較されるべき乱数を生成し得る。例として、０というＡＣ値を有するＵＥは、０．６というブロードキャスト値を受け取り得る。送信すべきか否かを決定するときに、ＵＥは、０〜１の間の乱数を生成でき、この値が０．６以上である場合に、ＵＥは送信を行い得る。そうでない場合、ＵＥは、送信が禁止されるべき時間の長さを決定する継続時間値にわたって送信／ブロードキャストを差し控え得る。
【００５２】
[0061]このように、特定の種類の伝送を制限することが望まれる特定の場合（例えば、リソースがコールによって容易に過負荷となり得る緊急事態）において、オペレータは、種々のＵＥからの特定の種類のトラフィックをブロックするように比較的長い継続時間にわたって適用されるべき高いバーリングレートをブロードキャストし得る。
【００５３】
[0062]当然ながら、この標準（standard）ベースのメカニズムは、あくまでも一例にすぎず、異なる実施形態には異なる種類のしきい値を使用することができる。（例えば、乱数値がブロードキャスト値以下である場合にのみ、ＵＥが送信を許され得る）。
【００５４】
[0063]図８は、ＵＥによって実行され得る本発明の特定の態様による例示的な動作８００を示している。動作８００は、ＴＸプロセッサ６１６、コントローラ／プロセッサ６７５、および／またはＲＸプロセッサ６７０のうちの１つ以上など、ＵＥにおける任意の適切なコンポーネントによって実行され得る。
【００５５】
[0064]動作８００は、８０２において、移動機発信（ＭＯ）コールの送信を禁止するか、あるいは許すかを決定するための第１のアクセスゲート機構に関するパラメータの利用可能性を決定することから始まる。
【００５６】
[0065]特定の態様によれば、パラメータは、システム情報ブロックが音声または映像のうちの少なくとも１つについて禁止を示している場合に、利用可能であると決定され得る。例えば、SystemInformationBlockType2が、ssac-BarringForMMTEL-Voiceまたはssac-BarringForMMTEL-Videoを示し得る。これに加え、あるいはこれに代えて、パラメータは、ＵＥがメモリにおいて音声または映像のうちの少なくとも１つについて禁止と設定されている場合に、利用可能であると決定され得る。特定の態様によれば、ＵＥは、不揮発性メモリにおいて、ssac-BarringForMMTEL-Voiceまたはssac-BarringForMMTEL-Videoと設定され得る。
【００５７】
[0066]これに加え、あるいはこれに代えて、パラメータは、ＵＥに公衆陸上モバイルネットワーク（ＰＬＭＮ）のリストにてネットワークによってブロードキャストされたＰＬＭＮに一致するＰＬＭＮが設定されている場合に、利用可能であると決定され得る。特定の態様によれば、ＵＥに設定されたＰＬＭＮリストがブロードキャストされたＰＬＭＮに一致する場合、ＵＥは、音声および映像の禁止（barring）についてデフォルト値をとり得る。すなわち、ＵＥは、ssac-BarringForMMTEL-Voiceまたはssac-BarringForMMTEL-Videoに関して、デフォルト値をとり得る。特定の態様によれば、デフォルト値は、１００というac-BarringFactorおよび０秒というac-BarringTimeであり得る。
【００５８】
[0067]動作８００は、８０４において、パラメータの利用可能性の決定に基づいて、第１のアクセスゲート機構または第２のアクセスゲート機構を選択することに続く。８０６において、動作８００は、ＭＯコールを禁止するか、あるいは許すかを決定するために、選択されたゲート機構を適用することに続く。
【００５９】
[0068]図９および１０は、ＵＥが図８に示した動作８００をどのように実行し得るかを表す例示的なフロー図を示している。
【００６０】
[0069]図９は、ＵＥによって実行され得る本開示の特定の態様による例示的な動作９００を示している。動作９００は、ＴＸプロセッサ６１６、コントローラ／プロセッサ６７５、および／またはＲＸプロセッサ６７０のうちの１つ以上など、ＵＥにおける任意の適切なコンポーネントによって実行され得る。
【００６１】
[0070]動作９００は、９０２において、移動機発信ＶｏＩＰコールを開始することから始まる。９０４において、ＵＥは、第１のアクセスゲートについてのパラメータが利用可能であるか否か（例えば、ＳＳＡＣパラメータがＳＩＢ２にてブロードキャストされたか否か）を決定する。第１のアクセスゲートについてのパラメータが利用可能である場合、第１のアクセスゲートが、９０８において、コールを許し、あるいはブロックするために適用され得る（例えば、標準のＳＳＡＣ）。他方で、第１のアクセスゲートについてのパラメータが利用可能でない場合、第２のアクセスゲートが、９０６において、コールを許し、あるいはブロックするために適用され得る（例えば、標準のＡＣＢチェック）。
【００６２】
[0071]示されるとおり、第１のアクセスゲートは、ＳＳＡＣに対応し得る。したがって、図９における動作は、ＳＳＡＣのみの手法と考えることができ、すなわちＳＳＡＣパラメータが利用可能である場合、ＳＳＡＣが適用され、ＡＣＢチェックは実行されない。ＳＳＡＣチェックがＶｏＬＴＥコールを許す場合、ＭＯデータのＡＣＢチェックは、省略され得る。ＳＳＡＣチェックがＶｏＬＴＥコールをブロックする場合、コールはブロックされる。ＳＳＡＣパラメータがブロードキャストされない場合、ＵＥは、ＭＯデータについて標準ベースのＡＣＢチェックを実行し得る。
【００６３】
[0072]図１０は、改良されたＡＣＢチェックに基づいてＵＥによって実行され得る本発明の特定の態様による例示的な動作１０００を示している。動作１０００は、ＴＸプロセッサ６１６、コントローラ／プロセッサ６７５、および／またはＲＸプロセッサ６７０のうちの１つ以上など、ＵＥにおける任意の適切なコンポーネントによって実行され得る。
【００６４】
[0073]動作１０００は、１００２において、移動機発信ＶｏＩＰコールを開始することから始まる。１００４において、ＵＥは、第１のアクセスゲートについてのパラメータが利用可能であるか否か（例えば、ＳＳＡＣパラメータがＳＩＢ２にてブロードキャストされたか否か）を決定する。第１のアクセスゲートについてのパラメータが利用可能である場合、第１のアクセスゲートが、１００８において、コールを許し、あるいはブロックするために適用され得る（例えば、標準的なＳＳＡＣ）。
【００６５】
[0074]他方で、第１のアクセスゲートについてのパラメータが利用可能でない場合、第２のアクセスゲートが、１００６において、例えば改良されたＡＣＢチェックに基づいて、コールを許し、あるいはブロックするために適用され得る。
【００６６】
[0075]特定の態様によれば、改良されたＡＣＢチェックは、追加のオフセット値（例えば、ブロードキャストされたバーリングレートに適用される）に基づき得る。例えば、ＵＥは、「ＶｏＬＴＥ  ＡＣＢオフセット（VoLTE ACB offset）」と呼ばれる設定パラメータを可能にし得る。このパラメータは、（例えば、［＋１０，−１０］の範囲の）＋ｖｅおよび−ｖｅの値の範囲をとり得る。設定された値は、設定された値によって何らかの方法でＡＣＢ確率係数（バーリングレート）をオフセットするために使用され得る。例えば、設定された値が「−２」であり、ＵＥのＡＣについての確率係数が０．８である場合、ＡＣＢチェックに使用される実際の確率係数の値は０．６となり得る。この方法で、この手法は、オペレータによるＳＳＡＣの展開に必ずしも依存することなく、オペレータによるＳＳＡＣの展開なしに機能し得る。
【００６７】
[0076]本明細書に提示の技術は、特定のコールの種類がＶｏＬＴＥ／ＶＴであることを明らかにし、アプリケーションレベルのアクセス制御チェックが実行されたか否かを決定し、いくつかの場合には、アプリケーションレベルのアクセス制御チェックが実行されている場合にＰＳデータについてのアクセス・クラス・バーリング・チェックを省略するＵＥのためのアクセス機構を提供し得る。上述のように、ＰＳデータについての改良されたアクセス・クラス・バーリング・チェックが、いくつかの場合に、アプリケーションレベルのアクセス制御チェックが実行されていない場合に実行され得る。
【００６８】
[0077]本発明の特定の態様によれば、ワイヤレス通信のための装置が、本明細書に記載の種々の機能を実行する手段を含み得る。一態様において、上述の手段は、図６に示した実施形態などの実施形態が存在し、上述の手段によって記載の機能を実行するように構成された１つ以上のプロセッサおよび関連のメモリであり得る。特定の態様によれば、上述の手段は、上述の手段によって記載の機能を実行するように構成された図６に示される送信機または受信機などの送信機または受信機であり得る。別の態様において、上述の手段は、上述の手段によって記載の機能を実行するように構成されたモジュールまたは任意の装置であり得る。
【００６９】
[0078]上記開示のプロセスにおける各ステップの特定の順序または階層は、例示的な手法の例示であると理解される。設計の優先事項に基づき、プロセスにおける各ステップの特定の順序または階層は、並べ替えられ得ると理解される。さらに、いくつかのステップは、組み合わせられ、あるいは省略され得る。添付の方法に関する請求項は、種々のステップの構成要素を見本の順序にて提示しており、提示された具体的な順序または階層への限定を意味するものではない。
【００７０】
[0079]本明細書において使用されるとき、アイテムのリスト「のうちの少なくとも１つ」に言及する表現は、これらのアイテムの任意の組み合わせを指し、単独の場合も含む。例として、「ａ、ｂ、またはｃのうちの少なくとも１つ」は、ａ、ｂ、ｃ、ａとｂ、ａとｃ、ｂとｃ、およびａとｂとｃを包含するように意図される。
【００７１】
[0080]以上の説明は、本明細書に記載の種々の態様を当業者にとって実施可能にするために提示されている。これらの態様への種々の変更が、当業者にとって容易に明らかであると考えられ、本明細書に定められる包括的な原理は、他の態様にも適用され得る。したがって、特許請求の範囲は、本明細書に示した態様に限定されるようには意図されてはおらず、請求項の表現に矛盾しない最大限の範囲が与えられるべきであり、ここにおいて、或る構成要素への単数形での言及は、とくに指定されない限り「ただ１つ」を意味することを意図しておらず、むしろ「１つ以上」を意味することを意図している。とくに述べられない限り、用語「いくつか」は、１つ以上を指す。本明細書の各所において説明された種々の態様の構成要素について、当業者にとって公知であり、あるいは後に知られることになるすべての構造的および機能的な同等物は、ここでの言及によって本明細書に明示的に援用され、特許請求の範囲によって包含されるように意図される。さらに、本明細書に開示の何ものも、このような開示が特許請求の範囲に明示的に記載されるか否かにかかわらず、公衆に開放されるようには意図されていない。請求項のいかなる構成要素も、構成要素が「〜する手段（means for）」という表現を使用して明示的に記載されない限り、ミーンズ・プラス・ファンクション（means plus function）として解釈されてはならない。
以下に、出願当初の特許請求の範囲に記載された発明を付記する。
［Ｃ１］
ユーザ機器（ＵＥ）によるワイヤレス通信のための方法であって、
移動機発信（ＭＯ）コールの送信を禁止するか、あるいは許可するかを決定するための第１のアクセスゲート機構に関するパラメータの利用可能性を決定することと、
前記決定に基づいて前記第１のアクセスゲート機構または第２のアクセスゲート機構を選択することと、
前記ＭＯコールを禁止するか、あるいは許可するかを決定するために、前記選択されたアクセスゲート機構を適用することと、
を備える方法。
［Ｃ２］
システム情報ブロックが音声または映像のうちの少なくとも１つについて禁止を示していること、
ＵＥにおいてメモリに音声または映像のうちの少なくとも１つについて禁止が設定されていること、または
ＵＥにおいて公衆陸上モバイルネットワーク（ＰＬＭＮ）のリストにてネットワークによってブロードキャストされたＰＬＭＮに一致するＰＬＭＮが設定されていること、
のうちの少なくとも１つである場合に、パラメータが利用可能であると決定される、上記Ｃ１に記載の方法。
［Ｃ３］
前記選択することは、
前記第１のアクセスゲート機構に関するパラメータが利用可能である場合に、前記第１のアクセスゲート機構を選択することと、
前記第１のアクセスゲート機構に関するパラメータが利用可能でない場合に、前記第２のアクセスゲート機構を選択することと、
を備える、上記Ｃ１に記載の方法。
［Ｃ４］
前記第１のアクセスゲート機構は、サービス固有アクセス規制（ＳＳＡＣ）機構を備える、上記Ｃ１に記載の方法。
［Ｃ５］
前記第２のアクセスゲート機構は、あるタイプのアクセス・クラス・バーリング（ＡＣＢ）機構を備える、上記Ｃ１に記載の方法。
［Ｃ６］
オフセット値を取得することと、
前記第２のアクセスゲート機構が選択されたときに、ブロードキャスト値および前記オフセット値に基づいて前記ＭＯコールを禁止するか、あるいは許可するかを決定することと、
をさらに備える、上記Ｃ５に記載の方法。
［Ｃ７］
ワイヤレス通信のための装置であって、
移動機発信（ＭＯ）コールの送信を禁止するか、あるいは許可するかを決定するための第１のアクセスゲート機構に関するパラメータの利用可能性を決定する手段と、
前記決定に基づいて前記第１のアクセスゲート機構または第２のアクセスゲート機構を選択する手段と、
前記ＭＯコールを禁止するか、あるいは許可するかを決定するために、前記選択されたアクセスゲート機構を適用する手段と、
を備える装置。
［Ｃ８］
システム情報ブロックが音声または映像のうちの少なくとも１つについて禁止を示していること、
ＵＥにおいてメモリに音声または映像のうちの少なくとも１つについて禁止が設定されていること、または
ＵＥにおいて公衆陸上モバイルネットワーク（ＰＬＭＮ）のリストにてネットワークによってブロードキャストされたＰＬＭＮに一致するＰＬＭＮが設定されていること、
のうちの少なくとも１つである場合に、パラメータが利用可能であると決定される、上記Ｃ７に記載の装置。
［Ｃ９］
前記選択する手段は、
前記第１のアクセスゲート機構に関するパラメータが利用可能である場合に、前記第１のアクセスゲート機構を選択する手段と、
前記第１のアクセスゲート機構に関するパラメータが利用可能でない場合に、前記第２のアクセスゲート機構を選択する手段と、
を備える、上記Ｃ７に記載の装置。
［Ｃ１０］
前記第１のアクセスゲート機構は、サービス固有アクセス規制（ＳＳＡＣ）機構を備える、上記Ｃ７に記載の装置。
［Ｃ１１］
前記第２のアクセスゲート機構は、あるタイプのアクセス・クラス・バーリング（ＡＣＢ）機構を備える、上記Ｃ７に記載の装置。
［Ｃ１２］
オフセット値を取得する手段と、
前記第２のアクセスゲート機構が選択されたときに、ブロードキャスト値および前記オフセット値に基づいて、前記ＭＯコールを禁止するか、あるいは許可するかを決定する手段と、
をさらに備える、上記Ｃ１１に記載の装置。
［Ｃ１３］
ワイヤレス通信のための装置であって、
移動機発信（ＭＯ）コールの送信を禁止するか、あるいは許可するかを決定するための第１のアクセスゲート機構に関するパラメータの利用可能性を決定することと、
前記決定に基づいて前記第１のアクセスゲート機構または第２のアクセスゲート機構を選択することと、
前記ＭＯコールを禁止するか、あるいは許可するかを決定するために、前記選択されたアクセスゲート機構を適用することと、
を行うように構成された少なくとも１つのプロセッサを備える、装置。
［Ｃ１４］
システム情報ブロックが音声または映像のうちの少なくとも１つについて禁止を示していること、
ＵＥにおいてメモリに音声または映像のうちの少なくとも１つについて禁止が設定されていること、または
ＵＥにおいて公衆陸上モバイルネットワーク（ＰＬＭＮ）のリストにてネットワークによってブロードキャストされたＰＬＭＮに一致するＰＬＭＮが設定されていること、
のうちの少なくとも１つである場合に、パラメータが利用可能であると決定される、上記Ｃ１３に記載の装置。
［Ｃ１５］
選択することを行うように構成された前記少なくとも１つのプロセッサは、
前記第１のアクセスゲート機構に関するパラメータが利用可能である場合に、前記第１のアクセスゲート機構を選択し、または
前記第１のアクセスゲート機構に関するパラメータが利用可能でない場合に、前記第２のアクセスゲート機構を選択する、
ようにさらに構成されている、上記Ｃ１３に記載の装置。
［Ｃ１６］
前記第１のアクセスゲート機構は、サービス固有アクセス規制（ＳＳＡＣ）機構を備える、上記Ｃ１３に記載の装置。
［Ｃ１７］
前記第２のアクセスゲート機構は、あるタイプのアクセス・クラス・バーリング（ＡＣＢ）機構を備える、上記Ｃ１３に記載の装置。
［Ｃ１８］
前記少なくとも１つのプロセッサは、
オフセット値を取得することと、
前記第２のアクセスゲート機構が選択されたときに、ブロードキャスト値および前記オフセット値に基づいて、前記ＭＯコールを禁止するか、あるいは許可するかを決定することと、
を行うようにさらに構成されている、上記Ｃ１７に記載の装置。
［Ｃ１９］
命令を記憶したコンピュータ読取可能媒体を備える、ワイヤレス通信のためのコンピュータプログラム製品であって、前記命令は、
移動機発信（ＭＯ）コールの送信を禁止するか、あるいは許可するかを決定するための第１のアクセスゲート機構に関するパラメータの利用可能性を決定することと、
前記決定に基づいて前記第１のアクセスゲート機構または第２のアクセスゲート機構を選択することと、
前記ＭＯコールを禁止するか、あるいは許可するかを決定するために、前記選択されたアクセスゲート機構を適用することと、
のために１つ以上のプロセッサによって実行可能である、コンピュータプログラム製品。
［Ｃ２０］
システム情報ブロックが音声または映像のうちの少なくとも１つについて禁止を示していること、
ＵＥにおいてメモリに音声または映像のうちの少なくとも１つについて禁止が設定されていること、または
ＵＥにおいて公衆陸上モバイルネットワーク（ＰＬＭＮ）のリストにてネットワークによってブロードキャストされたＰＬＭＮに一致するＰＬＭＮが設定されていること、
のうちの少なくとも１つである場合に、パラメータが利用可能であると決定される、上記Ｃ１９に記載のコンピュータプログラム製品。
［Ｃ２１］
前記選択するためのコードは、
前記第１のアクセスゲート機構に関するパラメータが利用可能である場合に、前記第１のアクセスゲート機構を選択するためのコード、または
前記第１のアクセスゲート機構に関するパラメータが利用可能でない場合に、前記第２のアクセスゲート機構を選択するためのコード、
を備える、上記Ｃ１９に記載のコンピュータプログラム製品。
［Ｃ２２］
前記第１のアクセスゲート機構は、サービス固有アクセス規制（ＳＳＡＣ）機構を備える、上記Ｃ１９に記載のコンピュータプログラム製品。
［Ｃ２３］
前記第２のアクセスゲート機構は、あるタイプのアクセス・クラス・バーリング（ＡＣＢ）機構を備える、上記Ｃ１９に記載のコンピュータプログラム製品。
［Ｃ２４］
前記非一時的なコンピュータ読取可能媒体は、
オフセット値を取得するためのコードと、
前記第２のアクセスゲート機構が選択されたときに、ブロードキャスト値および前記オフセット値に基づいて、前記ＭＯコールを禁止するか、あるいは許可するかを決定するためのコードと、
をさらに備える、上記Ｃ２３に記載のコンピュータプログラム製品。
【図１】
0006373968.tif 000002
【図２】
0006373968.tif 000003
【図３】
0006373968.tif 000004
【図４】
0006373968.tif 000005
【図５】
0006373968.tif 000006
【図６】
0006373968.tif 000007
【図７】
0006373968.tif 000008
【図８】
0006373968.tif 000009
【図９】
0006373968.tif 000010
【図１０】
0006373968.tif 000011